(57)【要約】【課題】室内側への雨水浸入を確実に阻止する高い止水機能を有する押出成形セメント板用水切材及びそれを用いた防水シール構造を得る。【解決手段】上下端面で開口する貫通中空部３３を有した押出成形セメント板９、１１を、上下に隣接させて支持部材４１、４３を介して建物躯体に取り付けるに際し、押出成形セメント板同士のジョイント部４２に設けられる押出成形セメント板用水切材１００であって、先端縁が押出成形セメント板９、１１の表面から突出される外水切４５と、外水切４５の後縁に連続して押出成形セメント板９の背面９ａと平行に起立する立上り部４７を有する内水切４９とが一体に形成され、背面９ａに向かって突出する上部水返突起６３が立上り部４７に設けられるとともに、中空部３３で垂下する下部水返突起６５が外水切４５に設けられる。【選択図】図１
2005207043.tif 000002
【特許請求の範囲】
【請求項１】
上下端面で開口する貫通中空部を有した押出成形セメント板を、上下に隣接させて支持部材を介して建物躯体に取り付けるに際し、上下に隣接する押出成形セメント板同士のジョイント部に設けられる押出成形セメント板用水切材であって、
先端縁が押出成形セメント板の表面から突出される外水切と、該外水切の後縁に連続して押出成形セメント板の背面と平行に起立する立上り部を有する内水切とが一体に形成され、
前記背面に向かって突出する上部水返突起が前記立上り部に設けられるとともに、前記中空部で垂下する下部水返突起が前記外水切に設けられたことを特徴とする押出成形セメント板用水切材。
【請求項２】
前記外水切の先端縁に、下方に突出する膨出部が該外水切の長手方向に延在して形成されたことを特徴とする請求項１記載の押出成形セメント板用水切材。
【請求項３】
請求項１又は請求項２記載の押出成形セメント板用水切材を、前記ジョイント部に設けた押出成形セメント板ジョイント部の防水シール構造であって、
上側の押出成形セメント板の表面側下端面と外水切との間、及び下側の押出成形セメント板の表面側上端面と外水切との間とがシーリング材によって塞がれ、
上側の押出成形セメント板の背面と、内水切の立上り部とに密着する上部ガスケットが前記上部水返突起の上面に載置されたことを特徴とする押出成形セメント板ジョイント部の防水シール構造。
【請求項４】
上側の押出成形セメント板の下端が押出成形セメント板用水切材を介在させて前記支持部材の水平片に支持され、
下側の押出成形セメント板の背面側上端面と該水平片との間隙に下部ガスケットが挟入されたことを特徴とする請求項３記載の押出成形セメント板ジョイント部の防水シール構造。
【請求項５】
基端を前記ジョイント部で開口させるとともに先端を外部で開口させる水抜きパイプが、前記押出成形セメント板用水切材の上面に接して設けられたことを特徴とする請求項３又は請求項４記載の押出成形セメント板ジョイント部の防水シール構造。
【請求項６】
前記水抜きパイプが、下向きに屈曲する立下げ部を先端側に有することを特徴とする請求項５記載の押出成形セメント板ジョイント部の防水シール構造。
【請求項７】
前記ジョイント部が、層間スラブの上側に配置されることを特徴とする請求項３〜請求項６のいずれか１項記載の押出成形セメント板ジョイント部の防水シール構造。
【発明の詳細な説明】
【技術分野】
【０００１】
本発明は、押出成形セメント板用水切材及びそれを用いた押出成形セメント板ジョイント部の防水シール構造に関し、さらに詳しくは、押出成形セメント板を用いて縦張りで外壁を構成する場合に形成される目地（ジョイント部）の防水シール性を確保する改良技術に関する。
【背景技術】
【０００２】
未硬化のセメント材を押出した後に硬化させて得る押出成形セメント板は、軽量で、高強度を有することから建物の外装板として好適に用いられる。この種の押出成形セメント板は、一般的にファスナーやＺクリップと称される取付金具を用いることで、建物の躯体に取付けられる。押出成形セメント板を外壁として躯体に取り付ける場合、上下に隣接する押出成形セメント板間に横目地が形成され、左右に隣接する押出成形セメント板間に縦目地が形成される。このように形成された横目地及び縦目地をシーリング材によってシールすることで、これらの目地部から建築物の室内側への雨水の浸入を阻止している。
【０００３】
例えば図１２に示す従来の防水シール構造は、背合わせに固定した支持部材である山形鋼材１、３を、短尺の連結鋼材５を介して躯体側縦鋼材７に固定し、山形鋼材１、３の水平片部を挟んで上下の押出成形セメント板９、１１を縦張りしている。押出成形セメント板９、１１は、Ｚクリップ１３ａ、１３ｂによって山形鋼材１、３に固定される。ジョイント部１５は、表面側がシーリング材１７ａ、裏面側がシーリング材１７ｂ、ガスケット１８によって防水シールされている。なお、図中、１６は内水切、１６ａは水切の室内側立上り部を示す。
【０００４】
図１３に示す従来の防水シール構造は、山形鋼材１を、上下方向に延在する連結鋼材２１を介して躯体側縦鋼材７に固定し、山形鋼材１の水平片部を挟んで上下の押出成形セメント板９、１１を縦張りしている。押出成形セメント板９は、Ｚクリップ１３ａによって山形鋼材１に固定され、押出成形セメント板１１は、Ｚクリップ１３ｂによって連結鋼材２１に固定される。ジョイント部１５は、表面側がシーリング材１７ａ、裏面側がノルシール２２、シーリング材１７ｂによって防水シールされている。なお、図中、２０は内水切、２０ａは水切の室内側立上り部を示す。
【０００５】
図１４に示す押出成形セメント板ジョイント部の防水シール構造は、山形鋼材１を、連結鋼材２１を介して図１３に示した躯体側縦鋼材７に固定し、山形鋼材１の水平片部を挟んで上下の押出成形セメント板９、１１を縦張りしている。連結鋼材２１の下端は補強鋼材２７を介して図示しない梁に固定され、補強鋼材２７には山形鋼材２９が固定される。押出成形セメント板９は、Ｚクリップ１３ａによって連結鋼材２１に固定され、押出成形セメント板１１は、Ｚクリップ１３ｂによって山形鋼材２９に固定される。ジョイント部１５は、表面側がシーリング材１７ａ、裏面側がガスケット３１によって防水シールされている。また、このジョイント部１５は、層間スラブより下方に位置している。なお、図中、３２は内水切、３２ａは水切の室内側立上り部を示す。
【０００６】
ところが、このようなシール構造では、シーリング材（特にシーリング材１７ａ）の経年劣化などにより雨水が躯体側へ浸入する恐れがある。このような不具合を防ぐため、ジョイント部１５には二次的な止水性を付与することが行われている。この工法としては、図１２、図１３に示すように、内水切を使用して中空部３３へ排水する場合と、下記特許文献１の図３に示すように、外水切を使用し、層間で排水を行う場合がある。
【０００７】
また、下記特許文献１と下記特許文献２には、縦張り押出成形セメント板の横目地に水切板を取り付け、シーリング材の経年劣化などにより躯体側へ浸入した雨水を内水切から下側パネルの中空部に排水する構造が記載されている。また、下記特許文献３には、縦張り押出成形セメント板の横目地に、水抜き穴を設けたバックアップ材付内水切板を取り付け、その前面にシーリング材が充填された構造が記載されている。この目地構造では、シーリング材の経年劣化などにより躯体側へ浸入した雨水は、内水切から下側パネルの中空部ヘ流れる。さらに、下記特許文献４には、特許文献３と同じ構造で上部から下部の押出成形セメント板の中空部へ順次雨水を排水する構造が記載されている。
【０００８】
そして、中空部３３に排水された雨水は、例えば図１２、図１３に示す防水シール構造の場合、シーリング材１７ａに、ジョイント部１５の内部に連通する逆流防止弁付きの水抜きパイプ１９を貫通し、この水抜きパイプ１９を介して外部へ排水していた。
【０００９】
【特許文献１】特開平６−５７８３０号公報
【特許文献２】実開昭５３−６１５号公報
【特許文献３】特開平７−３１７１６４号公報
【特許文献４】特開平１１−２２９５４３号公報
【発明の開示】
【発明が解決しようとする課題】
【００１０】
しかしながら、図１２、図１３に示した防水シール構造は、水抜きパイプが逆流防止弁付きのため目詰まりし易く、適切に雨水が外部に排出されない場合があった。また、図１４に示す防水シール構造では、ジョイント部が層間スラブ下（梁下）となるため、パネル取付用下地材（山形鋼材１、連結鋼材２１など）が障害となり、ガスケット３１の納まり状況を室内側から確認することができなかった。また、外水切を使用する場合は、水切のデザイン性が低いため、意匠性を重視する建築物には用いることができなかった。また、特許文献１、特許文献２に開示される防水シール構造では、室内側に止水機構がないため、内水切を廻り込んだ雨水の浸入を防ぐことができなかった。さらに、特許文献１、特許文献３、特許文献４に開示される防水シール構造では、浸入した雨水が中空部を通じて全て下部に排水されるが、最下部では、浸入水が多くなり、逆流防止弁付きの水抜きパイプによっては大きな排水量が確保できないため、オーバーフローの恐れがあった。そして、上記いずれの防水シール構造も、水切の室内側立上り部の止水機能が不十分であった。
本発明は上記状況に鑑みてなされたもので、室内側への雨水浸入を確実に阻止する高い止水機能を有する押出成形セメント板用水切材及びそれを用いた押出成形セメント板ジョイント部の防水シール構造を得ることにある。
【課題を解決するための手段】
【００１１】
上記目的を達成するための本発明に係る請求項１記載の押出成形セメント板用水切材は、上下端面で開口する貫通中空部を有した押出成形セメント板を、上下に隣接させて支持部材を介して建物躯体に取り付けるに際し、上下に隣接する押出成形セメント板同士のジョイント部に設けられる押出成形セメント板用水切材であって、先端縁が押出成形セメント板の表面から突出される外水切と、該外水切の後縁に連続して押出成形セメント板の背面と平行に起立する立上り部を有する内水切とが一体に形成され、前記背面に向かって突出する上部水返突起が前記立上り部に設けられるとともに、前記中空部で垂下する下部水返突起が前記外水切に設けられたことを特徴とする。
【００１２】
この押出成形セメント板用水切材では、外水切の上面側に浸入し、表面張力などによって立下げ部を上方向へ伝わろうとする雨水が、上部水返突起によってせき止められて浸入し難くなる。また、外水切の下面側から浸入した雨水が、下部水返突起に当って下方へ導かれ、中空部へ落下することにより、内水切下面側への雨水の回り込みも防止される。
【００１３】
請求項２記載の押出成形セメント板用水切材は、前記外水切の先端縁に、下方に突出する膨出部が該外水切の長手方向に延在して形成されたことを特徴とする。
【００１４】
この押出成形セメント板用水切材では、膨出部が形成されることで、外水切が装飾部材としての作用も発揮するようになり、従来の単なる平板状の水切片と異なり、テザイン性が高められる。
【００１５】
請求項３記載の押出成形セメント板ジョイント部の防水シール構造は、請求項１又は請求項２記載の押出成形セメント板用水切材を、前記ジョイント部に設けた押出成形セメント板ジョイント部の防水シール構造であって、上側の押出成形セメント板の表面側下端面と外水切との間、及び下側の押出成形セメント板の表面側上端面と外水切との間とがシーリング材によって塞がれ、上側の押出成形セメント板の背面と、内水切の立上り部とに密着する上部ガスケットが前記上部水返突起の上面に載置されたことを特徴とする。
【００１６】
この押出成形セメント板ジョイント部の防水シール構造では、外部から室内側へ浸入しようとする雨水が、シーリング材による一次止水ライン、上部水返突起による二次止水ライン、上部ガスケットによる三次止水ラインによって三重に阻止される。
【００１７】
請求項４記載の押出成形セメント板ジョイント部の防水シール構造は、上側の押出成形セメント板の下端が押出成形セメント板用水切材を介在させて前記支持部材の水平片に支持され、下側の押出成形セメント板の背面側上端面と該水平片との間隙に下部ガスケットが挟入されたことを特徴とする。
【００１８】
この押出成形セメント板ジョイント部の防水シール構造では、雨水が外水切の下面側から浸入し、下部水返突起を越えても、下側の押出成形セメント板の背面側上端面と水平片との間隙に挟入された下部ガスケットによってそれ以上の浸入が阻止される。
【００１９】
請求項５記載の押出成形セメント板ジョイント部の防水シール構造は、基端を前記ジョイント部で開口させるとともに先端を外部で開口させる水抜きパイプが、前記押出成形セメント板用水切材の上面に接して設けられたことを特徴とする。
【００２０】
この押出成形セメント板ジョイント部の防水シール構造では、外水切の下面側からジョイント部に浸入し、下部水返突起によって中空部へ落下した雨水が、中空部下端に位置する各層設置の押出成形セメント板用水切材上面にて受けられ、水抜きパイプを介して外部へ排水される。
【００２１】
請求項６記載の押出成形セメント板ジョイント部の防水シール構造は、前記水抜きパイプが、下向きに屈曲する立下げ部を先端側に有することを特徴とする。
【００２２】
この押出成形セメント板ジョイント部の防水シール構造では、水抜きパイプからジョイント部内へ浸入しようとする雨水の逆流が屈曲する立下げ部の抵抗によって阻止され、同時に、逆流防止弁を設けない立下げ構造のみで逆流が防止されることで、目詰まりも生じ難くなる。
【００２３】
請求項７記載の押出成形セメント板ジョイント部の防水シール構造は、前記ジョイント部が、層間スラブの上側に配置されることを特徴とする。
【００２４】
この押出成形セメント板ジョイント部の防水シール構造では、ジョイント部が層間スラブの上側で視認可能となり、無足場でのジョイント・シール施工が可能になるとともに、施工後の上部ガスケット及び下部ガスケットなどの目視確認も可能となる。
【発明の効果】
【００２５】
本発明に係る請求項１記載の押出成形セメント板用水切材によれば、外水切と内水切を一体に形成し、内水切の立上り部に上部水返突起を設けるとともに、外水切に中空部で垂下する下部水返突起を設けたので、外水切の上面側に浸入し、表面張力などによって立下げ部を上方向へ伝わろうとする雨水が上部水返突起によってせき止められて浸入し難くなるとともに、外水切の下面側から浸入した雨水が下部水返突起に当って下方へ導かれ、中空部へ落下することにより、内水切下面側への雨水の回り込みも防止することができる。この結果、室内側への雨水浸入を確実に阻止する高い止水機能を単一部材で容易に実現することができる。
【００２６】
本発明に係る請求項２記載の押出成形セメント板用水切材によれば、外水切の先端縁に、下方に突出する膨出部を外水切の長手方向に延在させて形成したので、単なる水切片と異なり、水切表面側を流れてきた水の回り込みを防ぐ効果を有する。その上、テザイン性を持たせることもできるので、従来の水切のように建物外観の意匠性を低下させることがない。
【００２７】
本発明に係る請求項３記載の押出成形セメント板ジョイント部の防水シール構造によれば、請求項１又は請求項２記載の押出成形セメント板用水切材をジョイント部に設け、上側の押出成形セメント板の背面と、内水切の立上り部とに密着する上部ガスケットを上部水返突起の上面に載置したので、シーリング材によって一次止水ラインが形成され、上部水返突起によって二次止水ラインが形成され、さらに上部ガスケットによって三次止水ラインが形成されて、室内側への漏水の浸入を三重に防ぐことができ、水密性を大幅に向上させることができる。
【００２８】
本発明に係る請求項４記載の押出成形セメント板ジョイント部の防水シール構造によれば、下側の押出成形セメント板の背面側上端面と、支持部材の水平片との間隙に下部ガスケットを挟入したので、下部水返突起を越えて、室内側へ浸入しようとする雨水を下部ガスケットによって阻止し、下部水返突起と協働させて、室内側への漏水を二重に防止することができる。
【００２９】
本発明に係る請求項５記載の押出成形セメント板ジョイント部の防水シール構造によれば、基端をジョイント部で開口させるとともに先端を外部で開口させる水抜きパイプを、押出成形セメント板用水切材の上面に接して設けたので、外水切の下面側からジョイント部に浸入してきた雨水を、下部水返突起によって中空部へ落下させ、中空部の下端に位置する各層設置の外水切上面に設けた水抜きパイプで外部へ排水することができる。
【００３０】
本発明に係る請求項６記載の押出成形セメント板ジョイント部の防水シール構造によれば、下向きに屈曲する立下げ部を水抜きパイプの先端側に形成したので、水抜きパイプからジョイント部内へ浸入しようとする雨水の逆流を防止し、目詰まりも防ぐことができる。
【００３１】
本発明に係る請求項７記載の押出成形セメント板ジョイント部の防水シール構造によれば、ジョイント部を層間スラブの上側に配置したので、無足場で作業が行なえる他、押出成形セメント板の裏面側から施工の確認（上部ガスケット及び下部ガスケットなどの目視チェック）を可能にすることができる。
【発明を実施するための最良の形態】
【００３２】
以下、本発明に係る押出成形セメント板用水切材及びそれを用いた押出成形セメント板ジョイント部の防水シール構造の好適な実施の形態を図面を参照して説明する。
図１は本発明に係る押出成形セメント板ジョイント部の防水シール構造の縦断面図、図２は図１に示した防水シール構造の斜視図である。なお、図１２〜図１４に示した部材及び部位と同一の部材及び部位には同一の符号を付して説明するものとする。
本実施の形態による押出成形セメント板用水切材（以下、「水切材」と称す。）１００は、上下端面で開口する貫通中空部３３を有した押出成形セメント板９、１１を、上下に隣接させて支持部材である山形鋼材４１、４３を介して建物躯体に取り付けるに際し、上下に隣接する押出成形セメント板９、１１同士のジョイント部４２に設けられる。
【００３３】
水切材１００は、先端縁が押出成形セメント板９、１１の表面から突出される外水切４５と、この外水切４５の後縁に連続して押出成形セメント板９の背面９ａと平行に起立する立上り部４７を有する内水切４９とが一体に形成されている。水切材１００は、図１に示す縦断面形状と同形状の口金開口を用いたアルミ押し出し成形によって得ることができるが、アルミ以外にもステンレス材や塩化ビニール材によっても成形され得る。尚この水切材１００は、各層（各横目地）全てに取り付けても良く、また、何層ごとかに取り付けられても良い。
【００３４】
上側の押出成形セメント板９は、下端面がロッキングブロック５１、水切材１００を介して山形鋼材４１の水平片に支持され、背面９ａが硬質パッキン５３、立上り部４７を介して山形鋼材４１の垂直片に当接されている。上側の押出成形セメント板９の下部背面９ａにはＺクリップ１３ａがボルト５５、角ナット５７によって固定され、Ｚクリップ１３ａは山形鋼材４１の垂直片を背面９ａとで挟持することで押出成形セメント板９を保持している。また、下側の押出成形セメント板１１の上部背面１１ａには山形鋼材４３の垂直片が当接され、山形鋼材４３は垂直片がＺクリップ１３ｂによって挟持されることで、押出成形セメント板１１を保持している。
【００３５】
山形鋼材４１の垂直片は、他の山形鋼材からなる連結鋼材５９の垂直片に固定される。山形鋼材４３の水平片は連結鋼材５９の水平片に固定されている。連結鋼材５９と固定された山形鋼材４３の水平片は、プレート天面材６１を介して躯体側縦鋼材７に固定されている。本実施の形態では、このジョイント部４２が、層間スラブより上方となるように配置されている。
【００３６】
立上り部４７には、背面９ａに向かって突出する上部水返突起６３が一体に形成されている。また、外水切４５には、中空部３３で垂下する下部水返突起６５が一体に形成されている。本実施の形態において、下部水返突起６５より先端側の外水切４５は、下向きに傾斜されている。これにより、後述の水抜きパイプに排水勾配を取り易くするとともに、ジョイント部４２に浸入した雨水も排水し易くしている。
【００３７】
立上り部４７に設けられる上部水返突起６３は、外水切４５の上面側からジョイント部４２へ浸入し、表面張力などによって立上り部４７を上方向へ伝わろうとする雨水をせき止め、それ以上の浸入をし難くしている。また、下部水返突起６５は、外水切４５の下面側から浸入した雨水を、当てて下方へ導き、中空部３３へ落下することにより、内水切４９下面側への雨水の回り込みを防止している。
【００３８】
外水切４５の先端縁には下方に突出する膨出部６７が外水切４５の長手方向に延在して形成されている。外水切４５は、膨出部６７を有することで、水切表面側を流れてきた水の回り込みを防ぐ効果を有する。その上装飾部材としての作用も発揮するようになり、従来の単なる平板状の水切片と異なり、テザイン性が高められる。この結果、従来の水切のように建物外観の意匠性を低下させることがない。
【００３９】
本発明による押出成形セメント板ジョイント部の防水シール構造は、上記した高い止水機能を有する水切材１００をジョイント部４２に配設し、さらに止水性を高めるための種々の手段を備えている。すなわち、上側の押出成形セメント板９の表面側下端面と外水切４５との間、及び下側の押出成形セメント板１１の表面側上端面と外水切４５との間とがシーリング材６９ａ、６９ｂによって塞がれている。
【００４０】
また、上側の押出成形セメント板９の背面９ａと、内水切４９の立上り部４７とに密着する上部ガスケット７１が、上部水返突起６３の上面に載置されている。したがって、外部から室内側へ浸入しようとする雨水が、シーリング材６９ａ、６９ｂによる一次止水ライン、上部水返突起６３による二次止水ライン、上部ガスケット７１による三次止水ラインによって三重に阻止されている。
【００４１】
上側の押出成形セメント板９は、下端が水切材１００を介在させて山形鋼材４１の水平片に支持されている。そして、下側の押出成形セメント板１１の背面側上端面と水平片との間隙には下部ガスケット７３が挟入されている。したがって、雨水が外水切４５の下面側から浸入し、下部水返突起６５を越えても、下部ガスケット７３によってそれ以上の浸入が阻止される。これにより、下部水返突起６５と下部ガスケット７３とを協働させて、室内側への漏水を二重に防止している。なお、図１、図２中の７５は、シーリング材６９ａ、６９ｂを後方で支えるバックアップ材、図２中、７６は縦ジョイントシールを示す。
【００４２】
図３は水抜きパイプ近傍の断面図、図４は水切ジョイント部の詳細斜視図、図５は最下部の縦断面図である。
図３に示すように、ジョイント部４２には基端をジョイント部内で開口させるとともに先端を外部で開口させる水抜きパイプ７７が、水切材１００の上面に接するようにシーリング材６９ａを貫通して設けられている。これにより、外水切４５の下面側からジョイント部４２に浸入してきた雨水を、下部水返突起６５によって中空部３３へ落下させ、中空部３３の下端に位置する水切材１００の上面に設けた水抜きパイプ７７で外部へ排水することができるようになっている。
【００４３】
ここで、水抜きパイプ７７は、下向きに屈曲する立下げ部７７ａを先端側に有している。したがって、水抜きパイプ７７からジョイント部４２内へ浸入しようとする雨水の逆流が屈曲する立下げ部７７ａの抵抗によって阻止される。同時に、逆流防止弁を設けない立下げ構造のみで逆流が防止されるので、目詰まりも生じ難くなっている。
【００４４】
水切材１００は、所定長の長尺材によって形成される。したがって、ジョイント部４２には、水切材１００同士のジョイント部が生じる。このジョイント部は、図４に示すように、同一の山形鋼材４１上に、ステンレス薄板などからなる防水ライナ７９上に位置し、水切材１００の端部同士の間隙に、ブチル接着剤８１などが充填される。なお、このジョイント部では、シーリング材６９ａ、６９ｂ、上部ガスケット７１が連続して横断することとなる。
【００４５】
縦張りされた押出成形セメント板９、１１の最下端は、図５に示すように、水切材１００を用いずに、例えば略クランク形状に折り曲げたステンレス鋼などからなる水切材８３によって防水シール構造を形成することができる。この場合、水切材８３は、土台部８５上に固定された山形鋼材４１の水平片上に、硬質パッキン８７を介して支持される。水切材８３上には硬質パッキン８９、９１を介して押出成形セメント板１１の下端が載置され、押出成形セメント板１１の下端はＺクリップ１３ｂが山形鋼材４１の垂直片を背面１１ａとで挟持することで保持される。
【００４６】
背面１１ａと山形鋼材４１の垂直片との間にはガスケット９３が挟入される。また、ガスケット９３上の目地交差部にはシーリング材９５が充填される。水切材８３と押出成形セメント板１１の下端との間隙にはシーリング材６９ａが充填され、このシーリング材６９ａには中空部３３の最下端で開口する水抜きパイプ９７が貫通されている。この水抜きパイプ９７は、上記の水抜きパイプ７７より内径が大きく形成され、下部に集中することで水量が多くなる雨水の排水機能を高めている。
【００４７】
また、最下部のＺクリップ１３ａを固定するための角ナット５７には、中空部３３の内壁面との間に防水ゴムシート９９が挟入されている。これにより、中空部３３における雨水の水位が上昇しても、ボルト５５の貫通穴から雨水が室内側へ浸入しないようになっている。
【００４８】
そして、上記の水切材１００を備えたジョイント部４２は、このジョイント部４２が、層間スラブの上側に配置されるようになっている。これにより、ジョイント部４２が層間スラブの上側で視認可能となり、無足場でのジョイント・シール施工が可能になるとともに、施工後の上部ガスケット７１及び下部ガスケット７３などの目視確認も可能となるようになっている。
【００４９】
次に、上記した防水シール構造の作用を説明する。
図６は縦ジョイントシール切れ時の止水作用説明図である。
経年劣化などによって縦ジョイントシール材７６（図２参照）が切れ、縦目地から雨水が押出成形セメント板９、１１の内部に浸入すると、雨水は水切材１００上に受けられ、水抜きパイプ７７から外部へと排水される。
【００５０】
図７は横ジョイントシール切れ時の上部ガスケットによる止水作用説明図である。
横ジョイントシール（シーリング材６９ａ）が切れ、雨水が水切材１００の上面側を室内側へ伝うと、上部ガスケット７１によってせき止められて、室内への浸入が阻止される。また、上部ガスケット７１が立上り部４７より低く配置されることで、立上り部４７と背面１１ａの間には漏水貯め部１０１が形成され、万が一の漏水もここで貯められ、室内へ流入し難くなっている。
【００５１】
図８は横ジョイントシール切れ時の上部水返突起による止水作用説明図である。
横ジョイントシール（シーリング材６９ａ）が切れ、雨水が水切材１００の上面側を室内側へ伝うと、上部水返突起６３に当り、それ以上の室内側への浸入が阻止され易くなる。すなわち、上部ガスケット７１へ到達する前の予備的な止水作用が働くようになっている。
【００５２】
図９は最下部の止水作用説明図である。
中空部３３に落下されることで水量が多くなった雨水は、最下部で大内径の水抜きパイプ９７によって外部へ排水される。また、中空部３３における雨水の水位が上昇しても、角ナット５７と中空部３３の内壁面との間に防水ゴムシート９９が挟入されることで、ボルト５５の貫通穴を通過しようとする室内側への雨水の浸入が阻止される。
【００５３】
図１０は横ジョイントシール切れ時の下部水返突起による止水作用説明図である。
横ジョイントシール（シーリング材６９ｂ）が切れ、雨水が水切材１００の下面側から浸入すると、下部水返突起６５に当り、それ以上の室内側への浸入が阻止され、中空部３３へ落下するよう導かれる。このようにして中空部３３へ落下した雨水は、図９に示したように、最下端から水抜きパイプ９７によって排水される。
【００５４】
図１１は横ジョイントシール切れ時の下部ガスケットによる止水作用説明図である。
また、下部水返突起６５を越えて室内側へ浸入した雨水は、下側の押出成形セメント板１１と山形鋼材４１との間に挟入された下部ガスケット７３によってそれ以上の浸入が阻止され、室内側へ流入しないようになっている。
【００５５】
したがって、上記の水切材１００によれば、外水切４５と内水切４９を一体に形成し、内水切４９の立上り部４７に上部水返突起６３を設けるとともに、外水切４５に中空部３３で垂下する下部水返突起６５を設けたので、外水切４５の上面側に浸入し、表面張力などによって立上り部４７を上方向へ伝わろうとする雨水が上部水返突起６３によってせき止められて浸入し難くなるとともに、外水切４５の下面側から浸入した雨水が下部水返突起６５に当って下方へ導かれ、中空部３３へ落下することにより、内水切下面側への雨水の回り込みも防止することができる。この結果、室内側への雨水浸入を確実に阻止する高い止水機能を単一部材で容易に実現することができる。
【００５６】
また、上記の押出成形セメント板ジョイント部の防水シール構造によれば、水切材１００をジョイント部４２に設け、上側の押出成形セメント板９の背面９ａと、内水切４９の立上り部４７とに密着する上部ガスケット７１を上部水返突起６３の上面に載置したので、シーリング材６９ａ、６９ｂ材によって一次止水ラインが形成され、上部水返突起６３によって二次止水ラインが形成され、さらに上部ガスケット７１によって三次止水ラインが形成されて、室内側への漏水の浸入を三重に防ぐことができ、水密性を大幅に向上させることができる。
【図面の簡単な説明】
【００５７】
【図１】本発明に係る押出成形セメント板ジョイント部の防水シール構造の縦断面図である。
【図２】図１に示した防水シール構造の斜視図である。
【図３】水抜きパイプ近傍の断面図である。
【図４】水切ジョイント部の詳細斜視図である。
【図５】最下部の縦断面図である。
【図６】縦ジョイントシール切れ時の止水作用説明図である。
【図７】横ジョイントシール切れ時の上部ガスケットによる止水作用説明図である。
【図８】横ジョイントシール切れ時の上部水返突起による止水作用説明図である。
【図９】最下部の止水作用説明図である。
【図１０】横ジョイントシール切れ時の下部水返突起による止水作用説明図である。
【図１１】横ジョイントシール切れ時の下部ガスケットによる止水作用説明図である。
【図１２】背合わせの支持部材を用いた従来の防水シール構造の縦断面図である。
【図１３】上下に延在する連結鋼材を用いた従来の防水シール構造の縦断面図である。
【図１４】ジョイントが層間スラブより下方に位置した従来の防水シール構造の縦断面図である。
【符号の説明】
【００５８】
９、１１…押出成形セメント板、９ａ，１１ａ…背面、３３…中空部、４１，４３…山形鋼材（支持部材）、４２…ジョイント部、４５…外水切、４７…立上り部、４９…内水切、６３…上部水返突起、６５…下部水返突起、６７…膨出部、６９ａ，６９ｂ…シーリング材、７１…上部ガスケット、７３…下部ガスケット、７７，９７…水抜きパイプ、７７ａ…立下げ部、１００…押出成形セメント板用水切材
【図１】
2005207043.tif 000003
【図２】
2005207043.tif 000004
【図３】
2005207043.tif 000005
【図４】
2005207043.tif 000006
【図５】
2005207043.tif 000007
【図６】
2005207043.tif 000008
【図７】
2005207043.tif 000009
【図８】
2005207043.tif 000010
【図９】
2005207043.tif 000011
【図１０】
2005207043.tif 000012
【図１１】
2005207043.tif 000013
【図１２】
2005207043.tif 000014
【図１３】
2005207043.tif 000015
【図１４】
2005207043.tif 000016